(57)【特許請求の範囲】
【請求項１】
吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記ノズルは、前記ノズルにおける他方側の開口から前記ホースが延び、前記ノズルにおける他方側の開口縁には切欠部を備え、前記収納部に前記ホースと前記ノズルとを収納するときに、前記ホースは、前記切欠部を支点に屈曲する構成であることを特徴とするふとん乾燥機。
【請求項２】
吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記本体ケースの前記開口部には、前記ノズルにおける軸方向に対して直角水平方向に延びた円筒形状のガイド部を備え、前記ガイド部は、前記収納部に前記ホースと前記ノズルとを収納するときに、前記ホースの上面に接触することを特徴とするふとん乾燥機。
【請求項３】
前記本体ケースは、上から見ると長辺と短辺とを有する長方形で、前記収納部に前記ホースと前記ノズルとを収納する場合に、前記ノズルの軸方向は、前記本体ケースにおける長辺方向へ水平に延び、前記ノズルにおける軸方向の長さは、前記本体ケースの前記長辺とほぼ同じ長さであることを特徴とする請求項１または２に記載のふとん乾燥機。
【請求項４】
前記ノズル内の前記ホースを移動させる力は、前記ホースを屈曲させる力より小さいことを特徴とする請求項１または２に記載のふとん乾燥機。
【請求項５】
吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記移動手段は、前記ノズルに設けたレール部を前記ホース先端に設けた突起部がスライドすることを特徴とするふとん乾燥機。
【請求項６】
前記ホースは、縮ませることなく前記本体ケースに収納されることを特徴とする請求項１から５のいずれかに記載のふとん乾燥機。
【請求項７】
吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記ノズル内に前記ホースの移動範囲を制限するストッパー部を設けることを特徴とするふとん乾燥機。
【請求項８】
前記ストッパー部は前記ノズルとは別部品で構成されることを特徴とする請求項７に記載のふとん乾燥機。
【請求項９】
前記ノズルに取手部を設け、前記取手部の一部が前記ストッパー部であることを特徴とする請求項８に記載のふとん乾燥機。
【請求項１０】
吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記ノズルの前記吹出口には、上下方向に回動する複数枚の風向板を上下方向に並べて配置し、複数枚の前記風向板は、クランクロッドで連動して動かせるように連結され、一番下に配置された前記風向板の長さが最も長く、先端が前記ノズルの吹出口より突出していることを特徴とするふとん乾燥機。
【発明の詳細な説明】
【技術分野】
【０００１】
本発明は、ふとんやベットの乾燥や暖めに使用されるふとん乾燥機に関するものである。
【背景技術】
【０００２】
従来、この種のふとん乾燥機は、ホースに吹出しノズルを装着されたものが知られている（例えば、特許文献１参照）。
【０００３】
以下、そのふとん乾燥機について図８および図９を参照しながら説明する。
【０００４】
図８に示すように、本体１０１内にファン１０２とヒータ部１０３を配置し、ホース１０４を備えることにより温風を出す。また、吹出しノズル１０５をホースに装着することで、図９に示すようにふとん内部に吹出しノズル１０５を設置し、ふとんを乾燥している。
【先行技術文献】
【特許文献】
【０００５】
【特許文献１】実開昭６２−１９６１９１号公報
【発明の概要】
【発明が解決しようとする課題】
【０００６】
このような従来のふとん乾燥機においては、ホースに吹出しノズルを装着する構成となっていたのでホースと吹出しノズルの収納スペースがそれぞれ必要になるという課題を有していた。
【０００７】
そこで本発明は、上記従来の課題を解決するものであり、ホースと吹出しノズルを省スペースで収納できるふとん乾燥機を提供することを目的とする。
【課題を解決するための手段】
【０００８】
そして、この目的を達成するために、本発明は、吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記ノズルは、前記ノズルにおける他方側の開口から前記ホースが延び、前記ノズルにおける他方側の開口縁には切欠部を備え、前記収納部に前記ホースと前記ノズルとを収納するときに、前記ホースは、前記切欠部を支点に屈曲する構成であることを特徴とするものであり、これにより所期の目的を達成するものである。
【発明の効果】
【０００９】
本発明によれば、吸気口と開口部とを有した箱形状の本体ケースと、前記本体ケース内に設けたファンと、前記ファンの吹き出し空気を加熱するヒータ部と、前記ヒータ部によって加熱された空気の送風路である筒形状の屈曲自在なホースと、前記ホースの先端に設けたノズルと、前記開口部には前記ノズルと前記ホースとを収納できる空間である収納部とを備え、前記ノズルは、前記ホースより大きな筒形状で、一方側の開口に吹出口を備え、前記ノズル内を前記ホースが移動できる移動手段を有し、前記収納部に前記ホースと前記ノズルとを収納する場合に、前記ホースの一部が前記ノズル内に収納され、前記ノズルは、前記ノズルにおける他方側の開口から前記ホースが延び、前記ノズルにおける他方側の開口縁には切欠部を備え、前記収納部に前記ホースと前記ノズルとを収納するときに、前記ホースは、前記切欠部を支点に屈曲する構成であることを特徴とするものである。
【００１０】
このように、ノズルはホースより大きな筒形状で、吹出口を備え、ノズル内をホースが移動できる移動手段を有し、ホースとノズルとを収納する場合に、ホースの一部がノズル内に収納されるという構成にしたことにより、ホースの一部がノズル内に収納することとなるので、ホースの収納スペース削減でき、また、ノズルにおける他方側の開口からホースが延び、ノズルにおける他方側の開口縁には切欠部を備え、収納部にホースとノズルとを収納するときに、ホースは、切欠部を支点に屈曲するという構成を有することにより、屈曲するきっかけを得やすくなり、収納されるホースの屈曲する位置が安定することでノズル内に収納されるホースの長さが安定するので、ホースを収納しやすく安定して収納スペースを削減できるという効果を得ることができる。
【図面の簡単な説明】
【００１１】
【図１】本発明の実施の形態１のふとん乾燥機の斜視図
【図２】同ふとん乾燥機の断面図
【図３】同ふとん乾燥機の展開図
【図４】同ふとん乾燥機のノズルとホースを示す図
【図５】本発明の実施の形態２のふとん乾燥機のノズルとホースを示す図
【図６】本発明の実施の形態３のふとん乾燥機の斜視図
【図７】同ふとん乾燥機のノズルの吹出口の断面図
【図８】従来のふとん乾燥機を示す断面図
【図９】従来のふとん乾燥機を示す斜視図
【発明を実施するための形態】
【００１４】
また、請求項１記載のふとん乾燥機は、前記ノズルにおける他方側の開口から前記ホースが延び、前記ノズルにおける他方側の開口縁には切欠部を備え、前記収納部に前記ホースと前記ノズルとを収納するときに、前記ホースは、前記切欠部を支点に屈曲するという構成を有する。
【００１５】
これにより、屈曲するきっかけを得やすくなり、収納されるホースの屈曲する位置が安定することでノズル内に収納されるホースの長さが安定するので、ホースを収納しやすく安定して収納スペースを削減できるという効果を奏する。
【００１６】
また、請求項２記載のふとん乾燥機は、前記本体ケースの前記開口部には、前記ノズルにおける軸方向に対して直角水平方向に延びた円筒形状のガイド部を備え、前記ガイド部は、前記収納部に前記ホースと前記ノズルとを収納するときに、前記ホースの上面に接触するという構成を有する。
【００１７】
これにより、屈曲して収納したホースが開口部内に安定して収納スペースを削減できるので、ホースを収納しやすく安定して収納スペースを削減できるという効果を奏する。
【００１８】
また、請求項３記載のふとん乾燥機は、前記本体ケースは、上から見ると長辺と短辺とを有する長方形で、前記収納部に前記ホースと前記ノズルとを収納する場合に、前記ノズルの軸方向は、前記本体ケースにおける長辺方向へ水平に延び、前記ノズルにおける軸方向の長さは、前記本体ケースの前記長辺とほぼ同じ長さであるという構成を有する。
【００１９】
これにより、開口部にホースとノズルとを収納する場合に、本体ケースの長辺とほぼ同じ長さのホースがノズル内に収納されるので、有効的に開口部を収納スペースとして利用して収納スペースを削減できるという効果を奏する。
【００２０】
また、請求項４記載のふとん乾燥機は、前記ノズル内の前記ホースを移動させる力は、前記ホースを屈曲させる力より小さいという構成を有する。
【００２１】
これにより、ノズルを開口部に収納するときホースが屈曲するより先にノズル内にホースが収納されるので、ホースを収納しやすく安定して収納スペースを削減できるという効果を奏する。
【００２２】
また、請求項５記載のふとん乾燥機は、前記移動手段は、前記ノズルに設けたレール部を前記ホース先端に設けた突起部がスライドするという構成を有する。
【００２３】
これにより、ホースがノズル内をスムーズに移動できることとなるので、ホースを収納しやすく安定して収納スペースを削減できるという効果を奏する。
【００２４】
また、請求項６記載のふとん乾燥機は、前記ホースを縮ませることなく前記本体ケースに収納されるという構成を有する。
【００２５】
これにより、ホースを縮ませることなく、ノズル内をスムーズに移動できることとなるので、ホースを収納しやすく安定して収納スペースを削減できるという効果を奏する。
【００２６】
また、請求項７記載のふとん乾燥機は、前記ノズルに前記ホースのスライド移動範囲を制限するストッパーを設けるという構成を有する。
【００２７】
これにより、ホースがノズル内の移動範囲を制限できることとなるので、ホースがノズルを外れることなく安定して操作できるという効果を奏する。
【００２８】
また、請求項８記載のふとん乾燥機は、前記ストッパーは前記ノズルとは別部品で構成する。
【００２９】
これにより、前記ストッパーがない状態で前記ホースを前記ノズルに組めるので、組立が容易になるという効果を奏する。
【００３０】
また、請求項９記載のふとん乾燥機は、前記ストッパーは前記ノズルを持つための取っ手の機能を有する構成する。
【００３１】
これにより、前記ストッパーがない状態で前記ホースを前記ノズルに組めると同時に、取っ手で操作性が向上することはもちろん、外観を形成したり、ストッパー以外の機能が追加されることで取り付け忘れしないという効果を奏する。
【００３２】
また、請求項１０記載のふとん乾燥機は、前記ノズルの前記吹出口に上下方向に回動する複数枚の風向板を上下方向に並べて配置し、複数枚の前記風向板は、クランクロッドで連動して動かせるように連結され、一番下に配置された前記風向板の長さが最も長く、先端が前記ノズルの吹出口より突出す構成とする。
【００３３】
これにより、風向も容易に変更でき、さらに水などがかかっても水の浸入を抑制できるので、結果として、安全性と使用感の両方を向上させるという効果を奏する。
【００３４】
以下、本発明の実施の形態について図面を参照しながら説明する。
【００３５】
（実施の形態１）
図１は、本発明の実施の形態１のふとん乾燥機の斜視図である。図２は、本発明の実施の形態１のふとん乾燥機の断面図である。図１、２は、本体ケースの背面側から見た図である。図３は、本発明の実施の形態１のふとん乾燥機の展開図である。図３は、ホースからノズルを外した図である。
【００３６】
図１、図２および図３に示すように、ふとん乾燥機は、縦長で、奥行き寸法が他の辺より小さい箱形状の本体ケース３を備えている。本体ケース３は、背面下部に吸気口１を備え、天面に開口部２を有している。
【００３７】
開口部２の近傍には、本体ケース３における前面と背面とを連結する円筒形状のガイド部９を備えている。
【００３８】
本体ケース３の中央部には、水平方向に延びた仕切板部３Ａを備えている。仕切板部３Ａによって、本体ケース３内の空間を、本体ケース３の下部である下部空間３Ｂと、本体ケース３の上部である収納部８とに分けられている。収納部８は、本体ケース３の天面の開口部２と連通している。
【００３９】
下部空間３Ｂには、ファン４と、ファン４の吹き出し空気を加熱するヒータ部５とを備えている。ファン４は、吸気口１から吸い込んだ空気を上方のヒータ部５へ吹き出す。
【００４０】
収納部８には、ヒータ部５から延びたホース６と、ホース６の先端部に設けたノズル７とが収納される。収納部８は、本体ケース３の天面の開口部２と連通しているので、ノズル７は、収納部８から開口部２を介して、収納部８外へ取り出すことができる。
【００４１】
ノズル７は、円筒形状で、一方側開口には、多数の開口を有する格子部７Ａを備えている。ノズル７における軸方向の長さは、本体ケース３の長手方向より短く、収納部８の長手方向にノズル７の軸方向を合わせると、収納部８内にノズル７が収納できる。ノズル７には、吹出口１０と、切欠部１１を備えている。切欠部１１は、ノズル７における他方側開口であるホース６側の開口縁を、下方も開口するように斜めにカットしたような形状である。つまり、切欠部１１は、ノズル７における他方側の開口の上端から、ノズル７における一方側斜め下方にカットしたような形状である。
【００４２】
ホース６は、屈曲可能な円筒形状で、ヒータ部５によって加熱された空気の送風路である。ホース６の直径は、ノズル７の直径より一回り小さく、ノズル７内にホース６を挿入可能である。ホース６は、移動手段によって、ノズル７内を移動できる。
【００４３】
移動手段は、ノズル７に設けられたレール１２と、ホース６の先端に設けられた突起部１３とを備えている。レール１２は、ノズル７内に、本体ケース３における前面側と背面側とに、ノズル７における軸方向に延びるように設けられている。突起部１３は、前面側と背面側のレール１２に対応するように、ホース６の先端部から本体ケース３における前面側と、および背面側と突出している円柱形状である。これらの突起部１３が、レール１２内をスライドすることにより、ホース６が、ノズル７内をノズル７の軸方向へ移動する構成である。
【００４４】
ふとん乾燥機の動作について説明する。ファン４によって、本体ケース３における吸気口１から吸い込んだ空気を、ヒータ部５へ送風し、ここで加熱される。この加熱された空気が、ホース６を介して、ノズル７へ送風され、ノズル７の吹出口１０から吹き出る。
【００４５】
本実施形態における特徴は、収納部８にホース６とノズル７とを収納する場合に、ホース６の一部がノズル７内に収納される点である。このように、ホース６の一部がノズル７内に収納されるので、収納部８のスペースを削減できる。
【００４６】
図４は、本発明の実施の形態１のふとん乾燥機の展開図である。図４は、本体ケース３からノズル７とホース６を取り出し、ホース６からノズル７を移動させた図である。図４に示すように、使用時はノズル７の長さ分、吹出口１０が遠くに届くためホース６の長さを短くすることができる。結果として、更に、収納部８のスペースを削減できる。
【００４７】
また、図２に示すように、ノズル７は、ノズル７における他方側の開口から、ホース６が延びている。ノズル７における他方側の開口縁には切欠部１１を備えている。切欠部１１は、収納部８にホース６とノズル７とを収納する場合に、ノズル７における他方側の開口の切欠部１１にホース６が嵌まると、ホース６は、切欠部１１を支点に屈曲し、切欠部１１から下方へホース６が延びる。
【００４８】
このように、収納部８にホース６とノズル７を収納するときに、ホース６は、切欠部１１を支点に屈曲することで、屈曲するきっかけを得やすくなり、収納されるホース６の屈曲する位置が安定することでノズル７内に収納されるホース６の長さが安定するので、ホースを収納しやすく安定して収納スペースを削減できる。
【００４９】
また、仕切板部３Ａの上方に、仕切板部３Ａと所定の距離Ａを有し、ノズル７が、ほぼ平行に装着される。所定の距離Ａは、ホース６の外径より僅かに大きい寸法である。これにより、ノズル７の下面と仕切板部３Ａとの間には、ホース６を収納する空間を備えることができる。結果として、ノズル７と仕切板部３Ａとの間に、ヒータ部５からノズル７まで延びたホース６を、ノズル７と仕切板部３Ａとによって挟むように収納でき、収納スペースを削減できる。
【００５０】
また、図３に示すように、本体ケース３の開口部２には、ノズル７における軸方向に対して直角水平方向に延びた円筒形状のガイド部９を備えている。具体的には、収納部８にホース６とノズル７とを収納する場合に、ノズル７における他方側となる開口部２の近傍に、本体ケース３における前面と背面とを連結する円筒形状のガイド部９を備えている。
【００５１】
これにより、ガイド部９は、収納部８にホース６とノズル７とを収納するときに、ホース６の上面に接触することで、ホース６が収納部８内に規制され、屈曲して収納したホース６が収納部８内に安定して収納できる。
【００５２】
また、本体ケース３は、上から見ると長辺と短辺とを有する長方形で、収納部８にホース６とノズル７とを収納する場合に、ノズル７の軸方向は、本体ケース３における長辺方向へ水平に延びている。ノズル７における軸方向の長さは、本体ケース３の長辺とほぼ同じ長さであるから、本体ケース３の大きさを、有効的に収納スペースとして利用することができるので、収納スペースを確保できる。
【００５３】
また、ノズル７内のホース６を移動させる力は、ホース６を屈曲させる力より小さいものである。図２、３に示すように、ノズル７の軸方向に平行な側面内には、それぞれ２本のレール１２を備えている。２本のレール１２は、ノズル７の軸方向に平行で、上下方向に所定の距離をおいて平行にもうけられている。ホース６の先端には、突起部１３を備えている。突起部１３が、２本のレール１２内をスライドすることにより、ホース６が、ノズル７内を移動可能な構成である。２本のレール１２の幅は、突起部１３の外径より僅かに大きい寸法である。２本のレール１２の幅と、突起部１３の嵌合寸法を管理すれば、ホース６がノズル７内をスムーズに移動でき、また、そのスライド力を設定管理しやすいので、安定してホース６を収納しやすくできる。
【００５４】
これにより、ノズル７を収納部８に収納するときホース６が屈曲するより先にノズル７内にホース６が収納されるので、ホース６がノズル７内に安定して余すことなく入り込むので、収納しやすく安定して収納スペースを削減できる。
【００５５】
また、ホース６は、縮ませることなく本体ケース３に収納される。これにより、ホース６の一部が、ノズル７内に挿入可能であるので、ホース６の一部がノズル７内に入ると、ホース６とノズル７とを合わせた長さが短くなる。結果として、ホース６を伸縮自在でなくても、ホース６を収納しやすく安定して収納スペースを削減できる。ホース６を縮ませることなく、ノズル７内をスムーズに移動できる。
【００５６】
（実施の形態２）
図５において、図２と同様の構成については同一の符号を付し、その詳細な説明は省略する。図５は、本発明の実施の形態２のふとん乾燥機の断面図である。図５は、本体ケースの正面側から見た図である。実施の形態１と相違する点は、図５のストッパー１４とストッパー取っ手部１４Ａである。
【００５７】
ノズル７には、ホース６のスライド移動範囲を制限するストッパー１４を設ける。このストッパー１４は、ノズル７とは別部品でノズル７の取っ手として機能するようにストッパー取っ手部１４Ａを構成している。つまり、ストッパー取っ手部１４Ａとストッパー１４とは、一体に形成している。ストッパー１４は、ホース６とノズル７が外れないように十分な強度が必要であり、ホース６とノズル７の取り付け易さと、ホース６が外れないようにするため、このストッパー１４はノズル７とは別部品で構成している。
【００５８】
以上の構成において、ホース６は、ノズル７内を移動できるが、ホース６の先端に設けたホース突起６Ａと、ノズル７内に突出したストッパー１４とによって、スライド移動範囲が制限される。ホース６がノズル７内の移動範囲を制限されることとなるので、ホース６がノズル７を外れることなく安定して操作できる。
【００５９】
さらに、組み立て時には、ホース６をノズル７に挿入した後に、ストッパー取っ手部１４Ａをノズル７に組み付けるので、ストッパー１４がない状態でホース６をノズル７に組め、組立が容易になる。
【００６０】
また、ストッパー取っ手部１４Ａで操作性が向上することはもちろん、外観を形成したり、ストッパー以外の機能が追加されることで取り付け忘れしないようにできる。
【００６１】
（実施の形態３）
図６、図７において、図２および図５と同様の構成については同一の符号を付し、その詳細な説明は省略する。図６は、本発明の実施の形態３のふとん乾燥機の斜視図である。図７は、本発明の実施の形態３のふとん乾燥機のノズルの吹出口の断面図である。図７の断面図は、ノズル７の吹出口１０部分を本体ケースの正面側から見た図である。実施の形態１と相違する点は、図２における格子部７Ａ部分を図６に示すように、風向板に変更している点である。
【００６２】
ノズル７の吹出口１０には、吹出す風の向きを上下に調整する複数枚の風向板を備えている。風向板は、小風向板１５と大風向板１６とを備える。吹出口１０には、上下方向に回動可能な２枚の小風向板１５と、１枚の大風向板１６が、上下方向に並べて設置され、一番下に大風向板１６が設けられている。
【００６３】
小風向板１５は、回動中心となる回動軸１５Ａと、回動軸１５Ａから垂直方向に延びた小フィン１５Ｂとを備えている。回動軸１５Ａは、水平方向に延びると共に、送風方向に対して垂直に設けられている。
【００６４】
大風向板１６は、回動中心となる回動軸１６Ａと、回動軸１６Ａから垂直方向に延びた大フィン１６Ｂとを備えている。回動軸１６Ａは、水平方向に延びると共に、送風方向に対して垂直に設けられている。
【００６５】
大フィン１６Ｂにおける回動軸１６Ａに対する垂直方向の長さは、小フィン１５Ｂにおける回動軸１５Ａに対する垂直方向の長さより大きいものである。風向を上向きにするときに、小風向板１５は、小フィン１５Ｂの先端がノズル７より出っ張らないように構成されている。一方、大風向板１６は、一部である先端がノズル７より出っ張るようにして構成している。また、小風向板１５と大風向板１６はクランクロッド１７で連動して動かせるように連結されている。これにより、ノズル７より出っ張っている大風向板１６の大フィン１６Ｂの先端を指で動かすことにより、大風向板１６と小風向板１５とを同時に回動させることができる。
【００６６】
以上の構成において、図６に示す水滴の流れのように、ノズル７へ水などがかかった場合に、小風向板１５と大風向板１６が上方向を向いていて、小風向板１５と大風向板１６を介してノズル７内へ水の浸入がしやすい条件においても、上部の小風向板１５は、ノズル７の内側に収まることから、水の浸入を抑制でき、また下部に配置された大風向板１６は水が掛かり、ノズル内部に水が浸入するが、下方のためホース６に水が浸入し難い。また、小風向板１５はノズル７より内側に入っているため手動で回転させることが困難だが、大風向板１６はノズル７より外側に出ているため、手動で回転させることが容易である。
【００６７】
これにより、風向も容易に変更でき、さらに水などがかかっても水の浸入を抑制できるので、結果として、安全性と使用感の両方を向上させることができる。
【産業上の利用可能性】
【００６８】
本発明にかかるふとん乾燥機は、ふとんやベットの乾燥や暖めに使用されるふとん乾燥機等として有用である。
【符号の説明】
【００６９】
１    吸気口
２    開口部
３    本体ケース
３Ａ  仕切板部
３Ｂ  下部空間
４    ファン
５    ヒータ部
６    ホース
６Ａ  ホース突起
７    ノズル
７Ａ  格子部
８    収納部
９    ガイド部
１０    吹出口
１１    切欠部
１２    レール
１３    突起部
１４    ストッパー
１４Ａ  ストッパー取っ手部
１５    小風向板
１５Ａ  回動軸
１５Ｂ  小フィン
１６    大風向板
１６Ａ  回動軸
１６Ｂ  大フィン
１７    クランクロッド
Ａ    所定の距離
【図１】
0006586631.tif 000002
【図２】
0006586631.tif 000003
【図３】
0006586631.tif 000004
【図４】
0006586631.tif 000005
【図５】
0006586631.tif 000006
【図６】
0006586631.tif 000007
【図７】
0006586631.tif 000008
【図８】
0006586631.tif 000009
【図９】
0006586631.tif 000010